(57)【要約】【課題】ユーザが緊急に欲するニュースや緊急情報等の情報を、ＴＶ番組を視聴している最中でも誰でも気付く最前面に分かりやすい形で表示することができるようにする。【解決手段】制御部１８は、ＡＶデコーダ部１３にてデコードされたデータをデータ放送用データ蓄積部２０に蓄積させる。さらに、制御部１８は、検索条件を検索条件登録部２４に登録する。検索部２１は、検索条件登録部２４の検索条件により、データ放送用データ蓄積部２０のデータを検索し、検索条件に一致するデータがあれば、そのデータをポップアップウィンドウとして番組放送画面の前面に表示する。ウィンドウが複数あれば、重ね表示を行う。【選択図】図１
2009296418.tif 000002
【特許請求の範囲】
【請求項１】
ＡＶ放送とデータ放送を含むデジタル放送を受信するデジタル放送受信装置において、
デジタル放送を受信する受信手段と、
受信したデータ放送用データのうちから取得したいデータの検索条件を登録する検索条件登録手段と、
受信したデータ放送のデータのうち登録した前記検索条件に一致するものを検索する検索手段と、
前記検索手段により検索して取得した最新のデータ内容を、ＡＶデータの表示画面とは別の画面として最前面に表示させる映像合成手段と、
を備えることを特徴とするデジタル放送受信装置。
【請求項２】
請求項１に記載のデジタル放送受信装置において、
新たなデータが取得されると、前別画面は所定時間表示してから削除して新たなデータの画面を最前面に表示することを特徴とするデジタル放送受信装置。
【請求項３】
請求項１に記載のデジタル放送受信装置において、
前記映像合成手段は、複数のデータが取得された場合、取得順に重ね表示することを特徴とするデジタル放送受信装置。
【請求項４】
請求項１に記載のデジタル放送受信装置において、
前記映像合成手段は、同時に複数のデータを取得した場合、重ね表示することを特徴とするデジタル放送受信装置。
【請求項５】
ＡＶ放送とデータ放送を含むデジタル放送を受信するデジタル放送受信装置において、
デジタル放送を受信する受信手段と、
受信したデータ放送用データのうちから取得したいデータの検索条件を登録する検索条件登録手段と、
検索条件における表示優先順を設定する優先順位設定手段と、
受信したデータ放送のデータのうち登録した前記検索条件に一致するものを検索する検索手段と、
複数のデータを取得した場合、前記検索手段により検索して取得したデータ内容を、ＡＶデータの表示画面とは別の画面として前記表示優先順に最前面に重ね表示させる映像合成手段と、
を備えることを特徴とするデジタル放送受信装置。
【請求項６】
請求項３乃至５のいずれかに記載のデジタル放送受信装置において、
前記映像合成手段は、ずらして重ね表示することを特徴とするデジタル放送受信装置。
【請求項７】
請求項１乃至６いずれかに記載のデジタル放送受信装置において、
前記検索条件が、データ放送の各項目であることを特徴とするデジタル放送受信装置。
【請求項８】
請求項１乃至６いずれかに記載のデジタル放送受信装置において、
前記検索条件が、番組名であることを特徴とする、デジタル放送受信装置。
【請求項９】
請求項１乃至６のいずれかに記載のデジタル放送受信装置において、
前記検索条件が、データ放送のキーワードであることを特徴とするデジタル放送受信装置。
【請求項１０】
ＡＶ放送とデータ放送を含むデジタル放送を受信して表示させるデジタル放送表示方法において、
デジタル放送を受信する受信ステップと、
受信したデータ放送用データのうちから取得したいデータの検索条件を登録する検索条件登録ステップと、
受信したデータ放送のデータのうち登録した前記検索条件に一致するものを検索する検索ステップと、
前記検索ステップにより検索して取得した最新のデータ内容を、ＡＶデータの表示画面とは別の画面として最前面に表示させる映像合成ステップと、
を備えることを特徴とするデジタル放送表示方法。
【請求項１１】
ＡＶ放送とデータ放送を含むデジタル放送を受信して表示するデジタル放送表示方法において、
デジタル放送を受信する受信ステップと、
受信したデータ放送用データのうちから取得したいデータの検索条件を登録する検索条件登録ステップと、
検索条件における表示優先順を設定する優先順位設定ステップと、
受信したデータ放送のデータのうち登録した前記検索条件に一致するものを検索する検索ステップと、
複数のデータを取得した場合、前記検索手段により検索して取得したデータ内容を、ＡＶデータの表示画面とは別の画面として前記表示優先順に最前面に重ね表示させる映像合成ステップと、
を備えることを特徴とするデジタル放送表示方法。
【請求項１２】
請求項１０又は１１に記載のデジタル放送表示方法の各ステップをコンピュータに実行させるためのプログラム。
【請求項１３】
請求項１２に記載のプログラムを記録した記録媒体。
【発明の詳細な説明】
【技術分野】
【０００１】
本発明は、付加情報をサービスするデータ放送を含むデジタル放送を受信するデータ放送受信装置、デジタル放送表示方法、それを実行させるプログラム及びそのプログラムを記録した記録媒体に関する。
【背景技術】
【０００２】
２０１１年７月のアナログ放送終了に向け、衛星や地上波を用いたデジタル放送を受信するデジタル放送受信装置が、広く普及してきている。デジタル放送受信装置は、専用アンテナを通して受信した複数の放送波の中から任意の放送波を、チューナを用いて選択する。この放送波には複数のチャンネルが含まれることから、デマルチプレクサ（ＤＥＭＵＸ）により更に任意のチャンネルを選択し、この選択したチャンネルのデジタル信号から映像・音声信号を分離し、デコーダによりデコードされて出力が行なわれる。
【０００３】
デジタル放送では、従来のアナログ放送と同様に映像や音声を送信することに加え、様々な付加情報をサービスするデータ放送が含まれている。そこで、受信するデータ放送の中からユーザの所望する情報を選択して取得するものがある。
【０００４】
データ放送としては、例えば、電子番組ガイド（ＥＰＧ：Electronic Program Guide）を利用した番組情報等も送信している。この番組情報には、チャンネル名（放送局名）、番組名、番組開始・終了時刻、番組放送時間長、番組内容情報、番組ジャンル情報等の各種情報が含まれており、デジタル放送受信装置では、ＥＰＧ表示機能を用いて、多チャンネル放送の中から任意の番組を選択し視聴することができる。
【０００５】
また、従来ユーザがデータ放送などで提供される特定の情報を見るために、データ放送画面を表示させ、各種操作を行い、目的の項目を選択することにより、選択項目に応じた情報を表示している。例えば、地上波デジタル放送で１ｃｈを選局した後、リモコンのデータ放送ボタンを押してデータ放送メニューを表示させ、その中の天気予報を上下キーと決定キーで選択すると、天気予報が表示される。
【０００６】
このように、従来データ放送で提供される目的の情報を表示するためには、ユーザはリモコンを用いて複数の操作を行う必要がある上に、再度同じ情報を表示させる場合には、同じ操作を繰り返し行わなければならなかった。また、目的の情報を表示させるためには、ユーザは操作手順を覚えておく必要があり、操作が煩わしいという問題があった。
【０００７】
そこで、通知して欲しいデータを受信した場合は、ユーザに操作させることなく、データ受信の旨を表示させる手段として、以下のようなものが挙げられる。
【０００８】
特許文献１には、携帯電話でテレビ視聴中に電話やメールを受信した場合、アイコンをポップアップさせて、ユーザに電話やメールを受信したことを通知することができる携帯端末が記載されている。図８は、この携帯画面を示す図であり、着信したときにテレビ表示画面１００の左下に着信アイコン１０１を表示して（図８（ａ）参照）、着信があったことをユーザに報知する。ユーザが、アイコン１０１を選択して決定することにより、着信内容１０２を画面に表示させることができる（図８（ｂ）参照）。
【０００９】
また、松下電器産業株式会社の液晶テレビＶＩＥＲＡ（登録商標）には、「おすすめ機能」が搭載されている。これは、予めジャンル、キーワード、人名を設定しておくと、該当する番組が始まる前に、図８の着信アイコンと同様に、「おすすめ」アイコンが画面に表示されるので、それをリモコンで選択して決定することにより、お勧め番組に切り換えることができる。
【特許文献１】特開２００７−１４２７６２
【発明の開示】
【発明が解決しようとする課題】
【００１０】
上記特許文献１に記載の電話やメールの着信通知機能については、現在、特にユーザが設定することなく、提供されているサービスである。従って、この着信通知機能に関しては、ユーザが操作をしなくても自動的に行われる。しかし、この技術では、メールや電話の着信通知機能だけであり、他の情報の通知については何ら考慮されているものではない。例えば、様々なジャンルがあるニュース等の中からユーザが知りたいものを選んで通知することには対応していない。また、アイコンでの通知なので、その内容まで把握できず、結局、その内容を見るための操作を行わなければならない。
【００１１】
上記「おすすめ機能」については、番組表受信時に設定条件を検索して準備しておき、該当時間直前にアイコンを表示するものである。しかし、この機能も番組情報に限定されているものであり、他の情報の通知については何ら考慮されているものではない。また、アイコンでの通知なので、その内容まで把握できず、結局、その内容を見るための操作を行わなければならないのは、特許文献１と同じである。
【００１２】
本発明は上記課題を解決するもので、ユーザが緊急に欲するニュースや緊急情報等の情報を、ＴＶ番組を視聴している最中でも誰でも気付く最前面に分かりやすい形で表示することができるデータ放送受信装置、デジタル放送表示方法、それを実行させるプログラム及びそのプログラムを記録した記録媒体を提供することを目的とする。
【課題を解決するための手段】
【００１３】
本発明は、こうした課題を解決する為の手段を提供するもので、以下の技術手段を構成する。
【００１４】
本発明は、ＡＶ放送とデータ放送を含むデジタル放送を受信するデジタル放送受信装置において、
デジタル放送を受信する受信手段と、受信したデータ放送用データのうちから取得したいデータの検索条件を登録する検索条件登録手段と、受信したデータ放送のデータのうち登録した前記検索条件に一致するものを検索する検索手段と、前記検索手段により検索して取得した最新のデータ内容を、ＡＶデータの表示画面とは別の画面として最前面に表示させる映像合成手段と、を備えることを特徴とする。
【００１５】
また、本発明は、前記デジタル放送受信装置において、新たなデータが取得されると、前別画面は所定時間表示してから削除して新たなデータの画面を最前面に表示することを特徴とする。
【００１６】
また、本発明は、前記デジタル放送受信装置において、前記映像合成手段は、複数のデータが取得された場合、取得順に重ね表示することを特徴とする。
【００１７】
また、本発明は、前記デジタル放送受信装置において、前記映像合成手段は、同時に複数のデータを取得した場合、重ね表示することを特徴とする。
【００１８】
また、本発明は、ＡＶ放送とデータ放送を含むデジタル放送を受信するデジタル放送受信装置において、
デジタル放送を受信する受信手段と、受信したデータ放送用データのうちから取得したいデータの検索条件を登録する検索条件登録手段と、検索条件における表示優先順を設定する優先順位設定手段と、受信したデータ放送のデータのうち登録した前記検索条件に一致するものを検索する検索手段と、複数のデータを取得した場合、前記検索手段により検索して取得したデータ内容を、ＡＶデータの表示画面とは別の画面として前記表示優先順に最前面に重ね表示させる映像合成手段と、を備えることを特徴とする。
【００１９】
また、本発明は、前記デジタル放送受信装置において、前記映像合成手段は、ずらして重ね表示することを特徴とする。
【００２０】
また、本発明は、前記デジタル放送受信装置において、前記検索条件が、データ放送の各項目であることを特徴とする。
【００２１】
また、本発明は、デジタル放送受信装置において、前記検索条件が、番組名であることを特徴とする。
【００２２】
また、本発明は、前記デジタル放送受信装置において、前記検索条件が、データ放送のキーワードであることを特徴とする。
【００２３】
また、本発明は、ＡＶ放送とデータ放送を含むデジタル放送を受信して表示させるデジタル放送表示方法において、
デジタル放送を受信する受信ステップと、受信したデータ放送用データのうちから取得したいデータの検索条件を登録する検索条件登録ステップと、受信したデータ放送のデータのうち登録した前記検索条件に一致するものを検索する検索ステップと、前記検索ステップにより検索して取得した最新のデータ内容を、ＡＶデータの表示画面とは別の画面として最前面に表示させる映像合成ステップと、を備えることを特徴とする。
【００２４】
また、本発明は、ＡＶ放送とデータ放送を含むデジタル放送を受信して表示するデジタル放送表示方法において、
デジタル放送を受信する受信ステップと、受信したデータ放送用データのうちから取得したいデータの検索条件を登録する検索条件登録ステップと、検索条件における表示優先順を設定する優先順位設定ステップと、受信したデータ放送のデータのうち登録した前記検索条件に一致するものを検索する検索ステップと、複数のデータを取得した場合、前記検索手段により検索して取得したデータ内容を、ＡＶデータの表示画面とは別の画面として前記表示優先順に最前面に重ね表示させる映像合成ステップと、を備えることを特徴とする。
【００２５】
また、本発明は、前記デジタル放送表示方法の各ステップをコンピュータに実行させるためのプログラムであってもよいし、このプログラムを記録した記録媒体であってもよい。
【発明の効果】
【００２６】
本発明は、ユーザが予め通知設定をしておいたデータ放送用データについては、情報が更新されるたびにテレビ画面上部にポップアップ（割り込み）表示することが可能となる。このため、緊急情報等をいち早く知りたい時は大変便利であり、従来のように何度も手動で情報を更新させて表示する手間が省ける。
【発明を実施するための最良の形態】
【００２７】
以下、本発明の実施の形態を添付図面を参照して説明する。
図１は、本発明に係るデジタル放送受信装置の一実施形態を示す機能ブロック図である。
【００２８】
デジタル放送受信装置１は、アンテナ２から受信したデジタル放送信号から特定周波数の信号を取り出したり、選択したデジタル変調信号を復調して、ＴＳを出力するチューナ部１１と、ＭＰＥＧ２（Moving Picture Experts Group2）のビデオストリーム、オーディオストリーム、及び、ＰＳＩ／ＳＩ（Program Specific Information/Service Information）に分離するデマルチプレクサ部（以下、「ＤＥＭＵＸ部」という）１２と、ＤＥＭＵＸ部１２で分離したストリームをデコードするＡＶデコーダ部１３と、ＡＶデコーダ部１３でデコードした映像データを出力用に処理する映像処理部１４と、ＡＶデコーダ部１３でデコードした音声データを出力用に処理する音声処理部１５と、映像処理部１４と音声処理部１５で出力処理をしたデータを同期させ出力する出力部１６と、リモコン３からの入力信号を受け付ける入力部１７と、本デジタル放送受信装置１の各種制御を行う制御部１８と、制御部１８から送られた選局情報をチューナ部１１へ伝達する選局部１９と、リモコン３から入力設定された検索条件を登録する検索条件登録部２４と、ＡＶデコーダ部１３でデコードされたデータ放送用データを蓄積するデータ放送用データ蓄積部２０と、データ放送用データ蓄積部２０に蓄積されたデータ放送用データに対して設定された検索条件で検索する検索部２１と、検索して抽出したデータを別ウィンドウとして表示する映像データを生成するＯＳＤ（On Screen Display）部２２と、ＡＶデコーダ部１３でデコードした映像データにＯＳＤ部２２で生成した映像データを合成する合成部２３と、処理に必要なデータを記憶する記憶部２５を含んで構成される。
【００２９】
出力部１６から出力した映像データは液晶パネル等のディスプレイ４に表示され、出力部１６から出力した音声データはスピーカ５により発音される。
【００３０】
次に、デジタル放送受信装置によるＡＶ放送のデータの処理動作について説明する。図２は、デジタル放送受信装置１のＡＶ放送データの処理流れを示したフローチャート図である。
【００３１】
リモコン３でデジタル放送受信装置１の電源をＯＮにすると（ステップＳ１）、まずはアンテンナ２から受信したデジタル放送の選局処理を行う。制御部１８は、視聴していたチャンネル情報を記憶部２５に記憶しており、そのチャンネルを呼び出して、選局部１９を介し、前回視聴チャンネル情報をチューナ部１１に出力し、チューナ部１１が、チャンネル情報により特定周波数の信号を取り出し、選択したデジタル変調信号を復調してＤＥＭＵＸ部１２に出力する（ステップＳ２）。ＤＥＭＵＸ部１２は、信号をビデオストリーム、オーディオストリームに分離し、ＡＶデコーダ部１３にてデコードされる。生成された映像データは映像処理部１４に、音声データは音声処理部１５に出力され（ステップＳ３）、出力部１６を介して映像データはディスプレイ４、音声データはスピーカ５から出力される。
【００３２】
次に、制御部１８は、ユーザが任意のチャンネルをリモコン３によって入力したかを確認する（ステップＳ４）。チャンネル入力が有れば、そのチャンネル情報は入力部１７から制御部１８に伝えられ、制御部１８の制御により選局部１９からチューナ部１１にチャンネル情報が送られる。チューナ部１１が、チャンネル情報により特定周波数の信号を取り出し、選択したデジタル変調信号を復調してＤＥＭＵＸ部１２に出力する（ステップＳ５）。ＤＥＭＵＸ部１２は、信号をビデオストリーム、オーディオストリームに分離し、ＡＶデコーダ部１３にてデコードされる。生成された映像データは映像処理部１４に、音声データは音声処理部１５に出力され（ステップＳ６）、出力部１６を介して映像データはディスプレイ４、音声データはスピーカ５から出力される。リモコン３からチャンネル情報が入力されなければ、そのまま前回視聴のチャンネルのＡＶデータが出力される。
この動作が電源オフされるまで、繰り返される（ステップＳ７）。
【００３３】
このように、デジタル放送受信機は、チャンネルのＡＶ放送データをディスプレイ４とスピーカ５に出力する。そして、本発明のデジタル放送受信装置１は、データ放送用データのデータをユーザが所望する条件のものを検索して表示する。以下に、データ放送用データの検索と表示に関する実施形態を説明する。
【００３４】
＜第１実施形態＞
第１実施形態は、検索をして得られた最新データを最前面にポップアップ表示させるものである。
図３は、データ放送用データの検索と表示処理に関する第１の実施形態を示すフローチャートである。図４は、処理過程でディスプレイに表示される画面を示す説明図であり、図５は、同時に複数のデータを得た場合の表示画面を示す図である。
【００３５】
まず、ディスプレイ４には、図４（ａ）に示すように、ＡＶ放送の番組放送画面３１が表示されている。ここで、ユーザは、リモコン３の「データ放送」ボタンを押すと、データ放送用データの表示モードがオンとなる（ステップＳ１１）。制御部１８は、入力部１７からデータ放送用データ表示モードオンの信号を受けると、ＤＥＭＵＸ部１２にＰＳＩ／ＳＩを分離させ、ＡＶデコーダ部１３にてデコードさせる。そして、このデコードされたデータをデータ放送用データ蓄積部２０に蓄積させる。さらに、制御部１８は、データ放送用データ蓄積部２０からデータ放送リストを呼び出して表示させる（ステップＳ１２）。このリストは図４（ｂ）に示す画面３２であり、ＯＳＤ部２２と合成部２３を介して割り込み画面として合成し、映像処理部１４と出力部１６を介してディスプレイ４に表示させる。
【００３６】
制御部１８は、ユーザが検索条件を入力したか否かを確認する（ステップＳ１３）。ユーザは、リモコン３の矢印キーや決定キーを使って、検索条件の項目を設定する。なお、３４はスクロールバーであり、これによって各検索条件項目を上下に移動表示させる。
【００３７】
ユーザが検索条件を入力すれば、制御部１８は、その条件を検索条件登録部２４に登録する（ステップＳ１４）。例えば、図４（ｂ）に示すように「電車遅延情報」３３を選択すると、この条件が検索条件登録部２４に登録される。
【００３８】
また、新たに検索条件を設定する必要がなく、ユーザが何ら検索条件の設定を行わなかった場合は、制御部１８は、検索条件登録部２４の内容を変更しない。
【００３９】
検索部２１は、検索条件登録部２４の検索条件により、データ放送用データ蓄積部２０のデータを検索する（ステップＳ１５）。検索結果は制御部１８に入力され、制御部１８は、条件に一致するデータが有るか否かを確認する（ステップＳ１６）。検索条件に一致するデータがあれば、そのデータが複数か否かを確認する（ステップＳ１７）。
【００４０】
取得データが１つであれば、そのデータ内容の表示画面信号をＯＳＤ部２２で生成し、それを合成部２３により、番組放送画面３１の前面に、図４（ｄ）のポップアップウィンドウ３５として合成する（ステップＳ１８）。
【００４１】
取得データが複数であれば、そのデータ内容の表示画面信号をＯＳＤ部２２で生成する。そして、合成部２３により、図５に示すように、番組放送画面の前面にポップアップウィンドウ３６，３７として重ね表示となるように合成する（ステップＳ１９）。この場合、完全に重ね合わせると、取得データが単数なのか、複数なのか分からなくなるので、それがユーザに認識できる程度にずらして重ね表示する。例えば、検索取得データが重なって見えないウィンドウ３６をリモコン３によって指定すると、そのウィンドウ３６が最前面に表示されて、内容を見ることができるようになっている。
【００４２】
図５は、検索条件が「電車遅延情報」であり、台風の影響で遅延した電車情報が２つ同時得られた場合である。画面の縦軸を時間軸に見立て、同時に得られた情報であるので、縦軸は同じ位置にして重ね表示している。こうすることで、ユーザはほぼ同時に得られた情報で有ることが認識できる。
【００４３】
このデータ表示モードがオフされるまでは、検索データの表示処理は継続される（ステップＳ２１）。なお、データ放送用データの表示は、一定時間だけ表示するものとし、その時間を過ぎると、削除され、次の取得データが表示される。
【００４４】
＜第２実施形態＞
第２実施形態は、所定時間の検索により得られたデータを取得順にポップアップして重ね表示するものである。
図６は、データ放送用データの検索と表示処理に関する第２の実施形態を示すフローチャートである。図７は、第２実施形態において、同時に複数のデータを得た場合の表示画面を示す図である。
【００４５】
まず、ディスプレイ４には、図４（ａ）に示すように、ＡＶ放送の番組放送画面３１が表示されている。ここで、ユーザは、リモコン３の「データ放送」ボタンを押すと、データ放送用データの表示モードがオンとなる（ステップＳ３１）。制御部１８は、入力部１７からデータ放送用データ表示モードオンの信号を受けると、ＤＥＭＵＸ部１２にＰＳＩ／ＳＩを分離させ、ＡＶデコーダ部１３にてデコードさせる。そして、このデコードされたデータをデータ放送用データ蓄積部２０に蓄積させる。さらに、制御部１８は、データ放送用データ蓄積部２０からデータ放送リストを呼び出して表示させる（ステップＳ３２）。このリストは図４（ｂ）に示す画面３２であり、ＯＳＤ部２２と合成部２３を介して割り込み画面として合成し、映像処理部１４と出力部１６を介してディスプレイ４に表示させる。
【００４６】
制御部１８は、ユーザが検索条件を入力したか否かを確認する（ステップＳ３３）。ユーザは、リモコン３の矢印キーや決定キーを使って、検索条件の項目を設定する。
【００４７】
ユーザが検索条件を入力すれば、制御部１８は、その条件を検索条件登録部２４に登録する（ステップＳ１４）。例えば、図４（ｂ）に示すように「電車遅延情報」３３、「天気予報」３８、及び「ニュース」３９を選択すると、この条件が検索条件登録部２４に登録される。
【００４８】
この実施形態では、データ放送のデータ作成情報に基づいて、最新のものから表示するように設定されているが、予め表示させる項目に優先順を設定していてもよい。この場合は、検索条件画面において、表示優先順の入力を可能にしておいて、ユーザに入力させてもよい。
【００４９】
また、新たに検索条件を設定する必要がなく、ユーザが何ら検索条件の設定を行わなかった場合は、制御部１８は、検索条件登録部２４の内容を変更しない。
【００５０】
検索部２１は、検索条件登録部２４の検索条件により、データ放送用データ蓄積部２０のデータを検索する（ステップＳ３５）。そして、その検索を任意に設定した所定時間、検索を続ける（ステップＳ３６）。従って、その時間範囲において、受信されたデータ放送用データがデータ放送用データ蓄積部２０に蓄積されて検索される。
【００５１】
検索結果は制御部１８に入力され、制御部１８は、条件に一致するデータが有るか否かを確認する（ステップＳ３７）。検索条件に一致するデータがあれば、そのデータが複数か否かを確認する（ステップＳ３８）。
【００５２】
取得データが１つであれば、そのデータ内容の表示画面信号をＯＳＤ部２２で生成し、それを合成部２３により、番組放送画面３１の前面に、図４（ｄ）のポップアップウィンドウ３５として合成する（ステップＳ３９）。
【００５３】
取得データが複数であれば、そのデータ内容の表示画面信号をＯＳＤ部２２で生成する。そして、合成部２３により、図７に示すように、番組放送画面の前面にポップアップウィンドウ３６，３７として重ね表示となるように合成する（ステップＳ４０）。この場合、完全に重ね合わせると、取得データが単数なのか、複数なのか分からなくなるので、それがユーザに認識できる程度にずらして重ね表示する。例えば、検索取得データが重なって見えないウィンドウ３６をリモコン３によって指定すると、そのウィンドウ３６が最前面に表示されて、内容を見ることができるようになっている。
【００５４】
データ表示ウィンドウの重ね順は、最新のものが最前面になるように表示される。このときの最新とは、データ放送のデータ作成情報に基づいて決めるが、蓄積時間情報に基づいてもよいし、検索取得順でもよい。これも、ユーザが予め設定することができる。さらに、前述のように、検索項目に表示優先順位が設定してあれば、その順位に従って、最優先の項目のウィンドウが最前面に来るように重ね配置して表示する。
【００５５】
図７は、検索条件が「電車遅延情報」と「電気予報」と「ニュース」であり、データの作成時間情報に基づいて、「鉄道遅延情報」、「天気予報」、「ニュース」を古い方からの順に重ね表示している。画面の縦軸を時間軸に見立て、新しいほど下側配置している。こうすることで、ユーザは、どの順に情報が作成されたものか認識できる。
【００５６】
このデータ表示モードがオフされるまでは、検索データの表示処理は継続される（ステップＳ４２）。
【００５７】
本発明は、ユーザが予め通知設定をしておいたデータ放送用データについては、情報が更新されるたびにテレビ画面上部にポップアップ（割り込み）表示することが可能となる。しかも、その表示ウィンドウが複数あっても、ずらして重ね表示されるので、緊急情報等をいち早く知りたい時は大変便利であり、複数種類の表示データがあっても、従来のように何度も手動で情報を更新させて表示する手間が省ける。
【００５８】
ここで、検索条件は、データ放送リストの項目としたが、それに限るわけではなく、番組名であってもよいし、データ放送のキーワードであってもよい。
また、検索した結果のデータのウィンドウは、前面にポップアップ表示されるだけではなく、割り込み画面として表示されてもよい。また、データのウィンドウの背景や文字等を目立つ色で表示してもよいし、点滅や点灯させて表示させてもよい。とにかく、ユーザの注目を浴びるように、目立つ表示を行う。
【００５９】
リモコン３は、キー入力としたが、操作キーが表示される画面におけるタッチパネル機能や、ペン入力機能が付加されていてもよい。この場合は、検索条件の設定画面は、リモコン３の表示画面に表示されてもよい。さらに、表示データの内容を詳しく知ることが出来るように、表示画面から該当情報元のホームページにジャンプできる機能をつけてもよい。
【００６０】
このデジタル放送受信装置が図２、図３、図６の各ステップの動作を行うようにプログラムを作成して、これを記録した記録媒体を介して、デジタル放送受信装置に読み込ませて処理を実行させることもできる。
【図面の簡単な説明】
【００６１】
【図１】本発明に係るデジタル放送受信装置の一実施形態を示す機能ブロック図である。
【図２】デジタル放送受信装置のＡＶ放送データの処理流れを示したフローチャート図である。
【図３】データ放送用データの検索と表示処理に関する第１実施形態を示すフローチャートである。
【図４】第１実施形態における処理過程でディスプレイに表示される画面を示す説明図である。
【図５】第１実施形態において同時に複数のデータを得た場合の表示画面を示す図である。
【図６】データ放送用データの検索と表示処理に関する第２の実施形態を示すフローチャートである。
【図７】第２実施形態において、複数のデータを得た場合の表示画面を示す図である。
【図８】従来のデジタル放送受信装置のデータ表示を示す図である。
【符号の説明】
【００６２】
１  デジタル放送受信装置
２  アンテナ
３  リモコン
４  ディスプレイ
５  スピーカ
１１  チューナ部
１２  ＤＥＭＵＸ部
１３  ＡＶデコーダ部
１４  映像処理部
１５  音声処理部
１６  出力部
１７  入力部
１８  制御部
１９  選局部
２０  データ放送用データ蓄積部
２１  検索部
２２  部
２３  合成部
２４  検索条件登録部
２５  記憶部
３１  番組放送画面
３２  検索条件設定画面
３３，３８，３９  検索条件項目
３４  スクロールバー
３５，３６，３７  ポップアップウィンドウ
【図１】
2009296418.tif 000003
【図２】
2009296418.tif 000004
【図３】
2009296418.tif 000005
【図４】
2009296418.tif 000006
【図５】
2009296418.tif 000007
【図６】
2009296418.tif 000008
【図７】
2009296418.tif 000009
【図８】
2009296418.tif 000010
【手続補正書】
【提出日】平成20年6月9日(2008.6.9)
【手続補正１】
【補正対象書類名】明細書
【補正対象項目名】全文
【補正方法】変更
【補正の内容】
【発明の詳細な説明】
【技術分野】
【０００１】
本発明は、付加情報をサービスするデータ放送を含むデジタル放送を受信するデジタル放送受信装置、デジタル放送表示方法、それを実行させるプログラム及びそのプログラムを記録した記録媒体に関する。
【背景技術】
【０００２】
２０１１年７月のアナログ放送終了に向け、衛星や地上波を用いたデジタル放送を受信するデジタル放送受信装置が、広く普及してきている。デジタル放送受信装置は、専用アンテナを通して受信した複数の放送波の中から任意の放送波を、チューナを用いて選択する。この放送波には複数のチャンネルが含まれることから、デマルチプレクサ（ＤＥＭＵＸ）により更に任意のチャンネルを選択し、この選択したチャンネルのデジタル信号から映像・音声信号を分離し、デコーダによりデコードされて出力が行なわれる。
【０００３】
デジタル放送では、従来のアナログ放送と同様に映像や音声を送信することに加え、様々な付加情報をサービスするデータ放送が含まれている。そこで、受信するデータ放送の中からユーザの所望する情報を選択して取得するものがある。
【０００４】
データ放送としては、例えば、電子番組ガイド（ＥＰＧ：Electronic Program Guide）を利用した番組情報等も送信している。この番組情報には、チャンネル名（放送局名）、番組名、番組開始・終了時刻、番組放送時間長、番組内容情報、番組ジャンル情報等の各種情報が含まれており、デジタル放送受信装置では、ＥＰＧ表示機能を用いて、多チャンネル放送の中から任意の番組を選択し視聴することができる。
【０００５】
また、従来ユーザがデータ放送などで提供される特定の情報を見るために、データ放送画面を表示させ、各種操作を行い、目的の項目を選択することにより、選択項目に応じた情報を表示している。例えば、地上波デジタル放送で１ｃｈを選局した後、リモコンのデータ放送ボタンを押してデータ放送メニューを表示させ、その中の天気予報を上下キーと決定キーで選択すると、天気予報が表示される。
【０００６】
このように、従来データ放送で提供される目的の情報を表示するためには、ユーザはリモコンを用いて複数の操作を行う必要がある上に、再度同じ情報を表示させる場合には、同じ操作を繰り返し行わなければならなかった。また、目的の情報を表示させるためには、ユーザは操作手順を覚えておく必要があり、操作が煩わしいという問題があった。
【０００７】
そこで、通知して欲しいデータを受信した場合は、ユーザに操作させることなく、データ受信の旨を表示させる手段として、以下のようなものが挙げられる。
【０００８】
特許文献１には、携帯電話でテレビ視聴中に電話やメールを受信した場合、アイコンをポップアップさせて、ユーザに電話やメールを受信したことを通知することができる携帯端末が記載されている。図８は、この携帯画面を示す図であり、着信したときにテレビ表示画面１００の左下に着信アイコン１０１を表示して（図８（ａ）参照）、着信があったことをユーザに報知する。ユーザが、アイコン１０１を選択して決定することにより、着信内容１０２を画面に表示させることができる（図８（ｂ）参照）。
【０００９】
また、松下電器産業株式会社の液晶テレビＶＩＥＲＡ（登録商標）には、「おすすめ機能」が搭載されている。これは、予めジャンル、キーワード、人名を設定しておくと、該当する番組が始まる前に、図８の着信アイコンと同様に、「おすすめ」アイコンが画面に表示されるので、それをリモコンで選択して決定することにより、お勧め番組に切り換えることができる。
【特許文献１】特開２００７−１４２７６２号公報
【発明の開示】
【発明が解決しようとする課題】
【００１０】
上記特許文献１に記載の電話やメールの着信通知機能については、現在、特にユーザが設定することなく、提供されているサービスである。従って、この着信通知機能に関しては、ユーザが操作をしなくても自動的に行われる。しかし、この技術では、メールや電話の着信通知機能だけであり、他の情報の通知については何ら考慮されているものではない。例えば、様々なジャンルがあるニュース等の中からユーザが知りたいものを選んで通知することには対応していない。また、アイコンでの通知なので、その内容まで把握できず、結局、その内容を見るための操作を行わなければならない。
【００１１】
上記「おすすめ機能」については、番組表受信時に設定条件を検索して準備しておき、該当時間直前にアイコンを表示するものである。しかし、この機能も番組情報に限定されているものであり、他の情報の通知については何ら考慮されているものではない。また、アイコンでの通知なので、その内容まで把握できず、結局、その内容を見るための操作を行わなければならないのは、特許文献１と同じである。
【００１２】
本発明は上記課題を解決するもので、ユーザが緊急に欲するニュースや緊急情報等の情報を、ＴＶ番組を視聴している最中でも誰でも気付く最前面に分かりやすい形で表示することができるデジタル放送受信装置、デジタル放送表示方法、それを実行させるプログラム及びそのプログラムを記録した記録媒体を提供することを目的とする。
【課題を解決するための手段】
【００１３】
本発明は、こうした課題を解決する為の手段を提供するもので、以下の技術手段を構成する。
【００１４】
本発明は、ＡＶ放送とデータ放送を含むデジタル放送を受信するデジタル放送受信装置において、
デジタル放送を受信する受信手段と、受信したデータ放送用データのうちから取得したいデータの検索条件を登録する検索条件登録手段と、受信したデータ放送のデータのうち登録した前記検索条件に一致するものを検索する検索手段と、前記検索手段により検索して取得した最新のデータ内容を、ＡＶデータの表示画面とは別の画面として最前面に表示させる映像合成手段と、を備えることを特徴とする。
【００１５】
また、本発明は、前記デジタル放送受信装置において、新たなデータが取得されると、前別画面は所定時間表示してから削除して新たなデータの画面を最前面に表示することを特徴とする。
【００１６】
また、本発明は、前記デジタル放送受信装置において、前記映像合成手段は、複数のデータが取得された場合、取得順に重ね表示することを特徴とする。
【００１７】
また、本発明は、前記デジタル放送受信装置において、前記映像合成手段は、同時に複数のデータを取得した場合、重ね表示することを特徴とする。
【００１８】
また、本発明は、ＡＶ放送とデータ放送を含むデジタル放送を受信するデジタル放送受信装置において、
デジタル放送を受信する受信手段と、受信したデータ放送用データのうちから取得したいデータの検索条件を登録する検索条件登録手段と、検索条件における表示優先順を設定する優先順位設定手段と、受信したデータ放送のデータのうち登録した前記検索条件に一致するものを検索する検索手段と、複数のデータを取得した場合、前記検索手段により検索して取得したデータ内容を、ＡＶデータの表示画面とは別の画面として前記表示優先順に最前面に重ね表示させる映像合成手段と、を備えることを特徴とする。
【００１９】
また、本発明は、前記デジタル放送受信装置において、前記映像合成手段は、ずらして重ね表示することを特徴とする。
【００２０】
また、本発明は、前記デジタル放送受信装置において、前記検索条件が、データ放送の各項目であることを特徴とする。
【００２１】
また、本発明は、デジタル放送受信装置において、前記検索条件が、番組名であることを特徴とする。
【００２２】
また、本発明は、前記デジタル放送受信装置において、前記検索条件が、データ放送のキーワードであることを特徴とする。
【００２３】
また、本発明は、ＡＶ放送とデータ放送を含むデジタル放送を受信して表示させるデジタル放送表示方法において、
デジタル放送を受信する受信ステップと、受信したデータ放送用データのうちから取得したいデータの検索条件を登録する検索条件登録ステップと、受信したデータ放送のデータのうち登録した前記検索条件に一致するものを検索する検索ステップと、前記検索ステップにより検索して取得した最新のデータ内容を、ＡＶデータの表示画面とは別の画面として最前面に表示させる映像合成ステップと、を備えることを特徴とする。
【００２４】
また、本発明は、ＡＶ放送とデータ放送を含むデジタル放送を受信して表示するデジタル放送表示方法において、
デジタル放送を受信する受信ステップと、受信したデータ放送用データのうちから取得したいデータの検索条件を登録する検索条件登録ステップと、検索条件における表示優先順を設定する優先順位設定ステップと、受信したデータ放送のデータのうち登録した前記検索条件に一致するものを検索する検索ステップと、複数のデータを取得した場合、前記検索手段により検索して取得したデータ内容を、ＡＶデータの表示画面とは別の画面として前記表示優先順に最前面に重ね表示させる映像合成ステップと、を備えることを特徴とする。
【００２５】
また、本発明は、前記デジタル放送表示方法の各ステップをコンピュータに実行させるためのプログラムであってもよいし、このプログラムを記録した記録媒体であってもよい。
【発明の効果】
【００２６】
本発明は、ユーザが予め通知設定をしておいたデータ放送用データについては、情報が更新されるたびにテレビ画面上部にポップアップ（割り込み）表示することが可能となる。このため、緊急情報等をいち早く知りたい時は大変便利であり、従来のように何度も手動で情報を更新させて表示する手間が省ける。
【発明を実施するための最良の形態】
【００２７】
以下、本発明の実施の形態を添付図面を参照して説明する。
図１は、本発明に係るデジタル放送受信装置の一実施形態を示す機能ブロック図である。
【００２８】
デジタル放送受信装置１は、アンテナ２から受信したデジタル放送信号から特定周波数の信号を取り出したり、選択したデジタル変調信号を復調して、ＴＳを出力するチューナ部１１と、ＭＰＥＧ２（Moving Picture Experts Group2）のビデオストリーム、オーディオストリーム、及び、ＰＳＩ／ＳＩ（Program Specific Information/Service Information）に分離するデマルチプレクサ部（以下、「ＤＥＭＵＸ部」という）１２と、ＤＥＭＵＸ部１２で分離したストリームをデコードするＡＶデコーダ部１３と、ＡＶデコーダ部１３でデコードした映像データを出力用に処理する映像処理部１４と、ＡＶデコーダ部１３でデコードした音声データを出力用に処理する音声処理部１５と、映像処理部１４と音声処理部１５で出力処理をしたデータを同期させ出力する出力部１６と、リモコン３からの入力信号を受け付ける入力部１７と、本デジタル放送受信装置１の各種制御を行う制御部１８と、制御部１８から送られた選局情報をチューナ部１１へ伝達する選局部１９と、リモコン３から入力設定された検索条件を登録する検索条件登録部２４と、ＡＶデコーダ部１３でデコードされたデータ放送用データを蓄積するデータ放送用データ蓄積部２０と、データ放送用データ蓄積部２０に蓄積されたデータ放送用データに対して設定された検索条件で検索する検索部２１と、検索して抽出したデータを別ウィンドウとして表示する映像データを生成するＯＳＤ（On Screen Display）部２２と、ＡＶデコーダ部１３でデコードした映像データにＯＳＤ部２２で生成した映像データを合成する合成部２３と、処理に必要なデータを記憶する記憶部２５を含んで構成される。
【００２９】
出力部１６から出力した映像データは液晶パネル等のディスプレイ４に表示され、出力部１６から出力した音声データはスピーカ５により発音される。
【００３０】
次に、デジタル放送受信装置によるＡＶ放送のデータの処理動作について説明する。図２は、デジタル放送受信装置１のＡＶ放送データの処理流れを示したフローチャート図である。
【００３１】
リモコン３でデジタル放送受信装置１の電源をＯＮにすると（ステップＳ１）、まずはアンテンナ２から受信したデジタル放送の選局処理を行う。制御部１８は、視聴していたチャンネル情報を記憶部２５に記憶しており、そのチャンネルを呼び出して、選局部１９を介し、前回視聴チャンネル情報をチューナ部１１に出力し、チューナ部１１が、チャンネル情報により特定周波数の信号を取り出し、選択したデジタル変調信号を復調してＤＥＭＵＸ部１２に出力する（ステップＳ２）。ＤＥＭＵＸ部１２は、信号をビデオストリーム、オーディオストリームに分離し、ＡＶデコーダ部１３にてデコードされる。生成された映像データは映像処理部１４に、音声データは音声処理部１５に出力され（ステップＳ３）、出力部１６を介して映像データはディスプレイ４、音声データはスピーカ５から出力される。
【００３２】
次に、制御部１８は、ユーザが任意のチャンネルをリモコン３によって入力したかを確認する（ステップＳ４）。チャンネル入力が有れば、そのチャンネル情報は入力部１７から制御部１８に伝えられ、制御部１８の制御により選局部１９からチューナ部１１にチャンネル情報が送られる。チューナ部１１が、チャンネル情報により特定周波数の信号を取り出し、選択したデジタル変調信号を復調してＤＥＭＵＸ部１２に出力する（ステップＳ５）。ＤＥＭＵＸ部１２は、信号をビデオストリーム、オーディオストリームに分離し、ＡＶデコーダ部１３にてデコードされる。生成された映像データは映像処理部１４に、音声データは音声処理部１５に出力され（ステップＳ６）、出力部１６を介して映像データはディスプレイ４、音声データはスピーカ５から出力される。リモコン３からチャンネル情報が入力されなければ、そのまま前回視聴のチャンネルのＡＶデータが出力される。
この動作が電源オフされるまで、繰り返される（ステップＳ７）。
【００３３】
このように、デジタル放送受信機は、チャンネルのＡＶ放送データをディスプレイ４とスピーカ５に出力する。そして、本発明のデジタル放送受信装置１は、データ放送用データのデータをユーザが所望する条件のものを検索して表示する。以下に、データ放送用データの検索と表示に関する実施形態を説明する。
【００３４】
＜第１実施形態＞
第１実施形態は、検索をして得られた最新データを最前面にポップアップ表示させるものである。
図３は、データ放送用データの検索と表示処理に関する第１の実施形態を示すフローチャートである。図４は、処理過程でディスプレイに表示される画面を示す説明図であり、図５は、同時に複数のデータを得た場合の表示画面を示す図である。
【００３５】
まず、ディスプレイ４には、図４（ａ）に示すように、ＡＶ放送の番組放送画面３１が表示されている。ここで、ユーザは、リモコン３の「データ放送」ボタンを押すと、データ放送用データの表示モードがオンとなる（ステップＳ１１）。制御部１８は、入力部１７からデータ放送用データ表示モードオンの信号を受けると、ＤＥＭＵＸ部１２にＰＳＩ／ＳＩを分離させ、ＡＶデコーダ部１３にてデコードさせる。そして、このデコードされたデータをデータ放送用データ蓄積部２０に蓄積させる。さらに、制御部１８は、データ放送用データ蓄積部２０からデータ放送リストを呼び出して表示させる（ステップＳ１２）。このリストは図４（ｂ）に示す画面３２であり、ＯＳＤ部２２と合成部２３を介して割り込み画面として合成し、映像処理部１４と出力部１６を介してディスプレイ４に表示させる。
【００３６】
制御部１８は、ユーザが検索条件を入力したか否かを確認する（ステップＳ１３）。ユーザは、リモコン３の矢印キーや決定キーを使って、検索条件の項目を設定する。なお、３４はスクロールバーであり、これによって各検索条件項目を上下に移動表示させる。
【００３７】
ユーザが検索条件を入力すれば、制御部１８は、その条件を検索条件登録部２４に登録する（ステップＳ１４）。例えば、図４（ｂ）に示すように「電車遅延情報」３３を選択すると、この条件が検索条件登録部２４に登録される。
【００３８】
また、新たに検索条件を設定する必要がなく、ユーザが何ら検索条件の設定を行わなかった場合は、制御部１８は、検索条件登録部２４の内容を変更しない。
【００３９】
検索部２１は、検索条件登録部２４の検索条件により、データ放送用データ蓄積部２０のデータを検索する（ステップＳ１５）。検索結果は制御部１８に入力され、制御部１８は、条件に一致するデータが有るか否かを確認する（ステップＳ１６）。検索条件に一致するデータがあれば、そのデータが複数か否かを確認する（ステップＳ１７）。
【００４０】
取得データが１つであれば、そのデータ内容の表示画面信号をＯＳＤ部２２で生成し、それを合成部２３により、番組放送画面３１の前面に、図４（ｄ）のポップアップウィンドウ３５として合成する（ステップＳ１８）。
【００４１】
取得データが複数であれば、そのデータ内容の表示画面信号をＯＳＤ部２２で生成する。そして、合成部２３により、図５に示すように、番組放送画面の前面にポップアップウィンドウ３６，３７として重ね表示となるように合成する（ステップＳ１９）。この場合、完全に重ね合わせると、取得データが単数なのか、複数なのか分からなくなるので、それがユーザに認識できる程度にずらして重ね表示する。例えば、検索取得データが重なって見えないウィンドウ３６をリモコン３によって指定すると、そのウィンドウ３６が最前面に表示されて、内容を見ることができるようになっている。
【００４２】
図５は、検索条件が「電車遅延情報」であり、台風の影響で遅延した電車情報が２つ同時得られた場合である。画面の縦軸を時間軸に見立て、同時に得られた情報であるので、縦軸は同じ位置にして重ね表示している。こうすることで、ユーザはほぼ同時に得られた情報で有ることが認識できる。
【００４３】
このデータ表示モードがオフされるまでは、検索データの表示処理は継続される（ステップＳ２１）。なお、データ放送用データの表示は、一定時間だけ表示するものとし、その時間を過ぎると、削除され、次の取得データが表示される。
【００４４】
＜第２実施形態＞
第２実施形態は、所定時間の検索により得られたデータを取得順にポップアップして重ね表示するものである。
図６は、データ放送用データの検索と表示処理に関する第２の実施形態を示すフローチャートである。図７は、第２実施形態において、同時に複数のデータを得た場合の表示画面を示す図である。
【００４５】
まず、ディスプレイ４には、図４（ａ）に示すように、ＡＶ放送の番組放送画面３１が表示されている。ここで、ユーザは、リモコン３の「データ放送」ボタンを押すと、データ放送用データの表示モードがオンとなる（ステップＳ３１）。制御部１８は、入力部１７からデータ放送用データ表示モードオンの信号を受けると、ＤＥＭＵＸ部１２にＰＳＩ／ＳＩを分離させ、ＡＶデコーダ部１３にてデコードさせる。そして、このデコードされたデータをデータ放送用データ蓄積部２０に蓄積させる。さらに、制御部１８は、データ放送用データ蓄積部２０からデータ放送リストを呼び出して表示させる（ステップＳ３２）。このリストは図４（ｂ）に示す画面３２であり、ＯＳＤ部２２と合成部２３を介して割り込み画面として合成し、映像処理部１４と出力部１６を介してディスプレイ４に表示させる。
【００４６】
制御部１８は、ユーザが検索条件を入力したか否かを確認する（ステップＳ３３）。ユーザは、リモコン３の矢印キーや決定キーを使って、検索条件の項目を設定する。
【００４７】
ユーザが検索条件を入力すれば、制御部１８は、その条件を検索条件登録部２４に登録する（ステップＳ３４）。例えば、図４（ｂ）に示すように「電車遅延情報」３３、「天気予報」３８、及び「ニュース」３９を選択すると、この条件が検索条件登録部２４に登録される。
【００４８】
この実施形態では、データ放送のデータ作成情報に基づいて、最新のものから表示するように設定されているが、予め表示させる項目に優先順を設定していてもよい。この場合は、検索条件画面において、表示優先順の入力を可能にしておいて、ユーザに入力させてもよい。
【００４９】
また、新たに検索条件を設定する必要がなく、ユーザが何ら検索条件の設定を行わなかった場合は、制御部１８は、検索条件登録部２４の内容を変更しない。
【００５０】
検索部２１は、検索条件登録部２４の検索条件により、データ放送用データ蓄積部２０のデータを検索する（ステップＳ３５）。そして、その検索を任意に設定した所定時間、検索を続ける（ステップＳ３６）。従って、その時間範囲において、受信されたデータ放送用データがデータ放送用データ蓄積部２０に蓄積されて検索される。
【００５１】
検索結果は制御部１８に入力され、制御部１８は、条件に一致するデータが有るか否かを確認する（ステップＳ３７）。検索条件に一致するデータがあれば、そのデータが複数か否かを確認する（ステップＳ３８）。
【００５２】
取得データが１つであれば、そのデータ内容の表示画面信号をＯＳＤ部２２で生成し、それを合成部２３により、番組放送画面３１の前面に、図４（ｄ）のポップアップウィンドウ３５として合成する（ステップＳ３９）。
【００５３】
取得データが複数であれば、そのデータ内容の表示画面信号をＯＳＤ部２２で生成する。そして、合成部２３により、図７に示すように、番組放送画面の前面にポップアップウィンドウ３６，３７として重ね表示となるように合成する（ステップＳ４０）。この場合、完全に重ね合わせると、取得データが単数なのか、複数なのか分からなくなるので、それがユーザに認識できる程度にずらして重ね表示する。例えば、検索取得データが重なって見えないウィンドウ３６をリモコン３によって指定すると、そのウィンドウ３６が最前面に表示されて、内容を見ることができるようになっている。
【００５４】
データ表示ウィンドウの重ね順は、最新のものが最前面になるように表示される（ステップＳ４１）。このときの最新とは、データ放送のデータ作成情報に基づいて決めるが、蓄積時間情報に基づいてもよいし、検索取得順でもよい。これも、ユーザが予め設定することができる。さらに、前述のように、検索項目に表示優先順位が設定してあれば、その順位に従って、最優先の項目のウィンドウが最前面に来るように重ね配置して表示する。
【００５５】
図７は、検索条件が「電車遅延情報」と「電気予報」と「ニュース」であり、データの作成時間情報に基づいて、「鉄道遅延情報」、「天気予報」、「ニュース」を古い方からの順に重ね表示している。画面の縦軸を時間軸に見立て、新しいほど下側配置している。こうすることで、ユーザは、どの順に情報が作成されたものか認識できる。
【００５６】
このデータ表示モードがオフされるまでは、検索データの表示処理は継続される（ステップＳ４２）。
【００５７】
本発明は、ユーザが予め通知設定をしておいたデータ放送用データについては、情報が更新されるたびにテレビ画面上部にポップアップ（割り込み）表示することが可能となる。しかも、その表示ウィンドウが複数あっても、ずらして重ね表示されるので、緊急情報等をいち早く知りたい時は大変便利であり、複数種類の表示データがあっても、従来のように何度も手動で情報を更新させて表示する手間が省ける。
【００５８】
ここで、検索条件は、データ放送リストの項目としたが、それに限るわけではなく、番組名であってもよいし、データ放送のキーワードであってもよい。
また、検索した結果のデータのウィンドウは、前面にポップアップ表示されるだけではなく、割り込み画面として表示されてもよい。また、データのウィンドウの背景や文字等を目立つ色で表示してもよいし、点滅や点灯させて表示させてもよい。とにかく、ユーザの注目を浴びるように、目立つ表示を行う。
【００５９】
リモコン３は、キー入力としたが、操作キーが表示される画面におけるタッチパネル機能や、ペン入力機能が付加されていてもよい。この場合は、検索条件の設定画面は、リモコン３の表示画面に表示されてもよい。さらに、表示データの内容を詳しく知ることが出来るように、表示画面から該当情報元のホームページにジャンプできる機能をつけてもよい。
【００６０】
このデジタル放送受信装置が図２、図３、図６の各ステップの動作を行うようにプログラムを作成して、これを記録した記録媒体を介して、デジタル放送受信装置に読み込ませて処理を実行させることもできる。
【図面の簡単な説明】
【００６１】
【図１】本発明に係るデジタル放送受信装置の一実施形態を示す機能ブロック図である。
【図２】デジタル放送受信装置のＡＶ放送データの処理流れを示したフローチャート図である。
【図３】データ放送用データの検索と表示処理に関する第１実施形態を示すフローチャートである。
【図４】第１実施形態における処理過程でディスプレイに表示される画面を示す説明図である。
【図５】第１実施形態において同時に複数のデータを得た場合の表示画面を示す図である。
【図６】データ放送用データの検索と表示処理に関する第２の実施形態を示すフローチャートである。
【図７】第２実施形態において、複数のデータを得た場合の表示画面を示す図である。
【図８】従来のデジタル放送受信装置のデータ表示を示す図である。
【符号の説明】
【００６２】
１  デジタル放送受信装置
２  アンテナ
３  リモコン
４  ディスプレイ
５  スピーカ
１１  チューナ部
１２  ＤＥＭＵＸ部
１３  ＡＶデコーダ部
１４  映像処理部
１５  音声処理部
１６  出力部
１７  入力部
１８  制御部
１９  選局部
２０  データ放送用データ蓄積部
２１  検索部
２２  部
２３  合成部
２４  検索条件登録部
２５  記憶部
３１  番組放送画面
３２  検索条件設定画面
３３，３８，３９  検索条件項目
３４  スクロールバー
３５，３６，３７  ポップアップウィンドウ